(57)【要約】【課題】所望周波数成分の変換利得特性を劣化させることなく、不要波となる偶数次の周波数成分を抑圧させることのできるハーモニックミキサ回路を提供することにある。【解決手段】ハーモニックミキサ回路は、第１ノード（Ｖ１）にアノードが接続され、第２ノード（Ｖ２）にカソードが接続された第１ダイオード（Ｄ１）と、前記第１ノード（Ｖ１）にカソードが接続され、前記第２ノード（Ｖ２）にアノードが接続された第２ダイオード（Ｄ２）と、前記第１ノード（Ｖ１）に接続された第１インピーダンス素子（４，１１）と、前記第２ノード（Ｖ２）に接続された第２インピーダンス素子（５）とを具備する。【選択図】図１
2007274040.tif 000002
【特許請求の範囲】
【請求項１】
第１ノードにアノードが接続され、第２ノードにカソードが接続された第１ダイオードと、
前記第１ノードにカソードが接続され、前記第２ノードにアノードが接続された第２ダイオードと、
前記第１ノードに接続された第１インピーダンス素子と、
前記第２ノードに接続された第２インピーダンス素子と
を具備するハーモニックミキサ回路。
【請求項２】
第１ノードにアノードが接続され、第２ノードにカソードが接続された第１ダイオードと、
前記第１ノードにカソードが接続され、前記第２ノードにアノードが接続された第２ダイオードと、
前記第１ノードに接続された第１インピーダンス素子と、
前記第２ノードに接続された第２インピーダンス素子と
前記第１ノードに接続された第３インピーダンス素子と
を具備するハーモニックミキサ回路。
【請求項３】
請求項１又は２において、
前記第１ダイオードと第２ダイオードは、同じＰＮ接合面積を有する
ハーモニックミキサ回路。
【請求項４】
請求項１乃至３のいずれかにおいて、
前記第１インピーダンス素子は、
前記第１ノードに接続された分布定数線路と、前記分布定数線路と接地の間に接続されたキャパシタとを有する
ハーモニックミキサ回路。
【請求項５】
請求項１乃至４のいずれかにおいて、
前記第３インピーダンス素子は、
前記第１ノードに接続されたインダクタンスと、前記インダクタンスと接地の間に接続されたキャパシタとを有する
ハーモニックミキサ回路。
【請求項６】
請求項１において、
前記第１ノードに第１キャパシタを介して局部発振周波数信号が供給され、
前記第２ノードに第２キャパシタと低域通過フィルタを介して中間周波数信号が供給され、
前記第２のノードから第３キャパシタを介して無線周波数信号が出力される
ハーモニックミキサ回路。
【請求項７】
請求項１において、
前記第１ノードに第１キャパシタを介して局部発振周波数信号が供給され、
前記第２のノードに第３キャパシタを介して無線周波数信号が供給され、
前記第２ノードから低域通過フィルタと第２キャパシタとを介して中間周波数信号が出力される
ハーモニックミキサ回路。
【請求項８】
請求項２において、
前記第１ノードに第１キャパシタを介して局部発振周波数信号が供給され、
前記第２ノードに第２キャパシタと低域通過フィルタを介して中間周波数信号が供給され、
前記第２のノードから第３キャパシタを介して無線周波数信号が出力される
ハーモニックミキサ回路。
【請求項９】
請求項２において、
前記第１ノードに第１キャパシタを介して局部発振周波数信号が供給され、
前記第２のノードに第３キャパシタを介して無線周波数信号が供給され、
前記第２ノードから低域通過フィルタと第２キャパシタとを介して中間周波数信号が出力される
ハーモニックミキサ回路。
【請求項１０】
前記第１ノードと前記第２ノードは直流的に開放されている
ハーモニックミキサ回路。
【発明の詳細な説明】
【技術分野】
【０００１】
本発明は、ハーモニックミキサ回路に関する。
【背景技術】
【０００２】
ハーモニックミキサ回路は、局部発振周波数（Ｌｏ）信号の直接生成が困難となるミリ波通信等で、Ｌｏ周波数を逓倍する必要がないので、回路面積をコンパクトにまとめることができるので使用される。
【０００３】
一般的に用いられているハーモニックミキサの回路を図４に示す。周波数ｆＬＯとｆｉｆとを有する局発信号Ｌｏと中間周波数信号ＩＦが注入され、無線周波数信号ＲＦが取り出されるとき、ダイオードの両端の電位差の時間応答とアンチパラレルダイオードの電圧電流特性は、図５に示されるとおりである。ただし、図５は、２つのダイオードにばらつきがない場合である。図５から明らかなように、ばらつきがない場合には、ダイオード両端の電圧（図４において、ノードＶ１とＶ２間の電圧）の振幅の中心値が、ダイオード電圧電流特性の奇関数となる電圧値が同じであることが分かる（図５では、電圧Ｖ＝０［Ｖ］）。
【０００４】
図２は、２つのダイオードにばらつきのないアンチパラレルダイオードの電圧Ｖと電流Ｉの特性を示す。２つのダイオードの特性にばらつきがなければ、電０Ｖにおいて奇対称なグラフとなる。ただし、ダイオードの特性にばらつきがある場合には、図３に示されるように、電圧０Ｖにおいて奇対称性が崩れてしまう。
【０００５】
次に、２つのダイオードにばらつきがある場合の計算結果は、図６に示されるとおりである。この結果から明らかなように、図４に示されるように、直流的にダイオードの片側が短絡されているので、ダイオード両端の電圧は、ダイオードの電流電圧特性の原点を中心に振幅する。２つのダイオードの特性がばらついた時には、対称性が失われ、フーリエ展開した際に、（ｍ±ｎ）＝偶数の項が発生する。
【０００６】
アンチパラレルダイオードに２つの異なる周波数成分が注入されたとき、以下の周波数成分が取り出される。ダイオードに注入される信号の周波数をｆＬＯ（信号Ｌｏ）とｆｉｆ（信号ＩＦ）とし、アンチパラレルダイオードがアップコンバートのために使用される場合、ｍ×ｆＬＯ＋ｎ×ｆｉｆの周波数成分を有する信号が出力される。このとき、電流と電圧の関係が、図２に示されるように奇関数の式で表される場合には、（ｍ±ｎ）＝奇数となるような周波数成分を有する信号のみが取り出される。しかし、図３に示されるように、奇関数性が崩れた場合には、（ｍ±ｎ）＝奇数となる周波数成分の他に、（ｍ±ｎ）＝偶数の周波数成分を有する信号が取り出されることになる。本発明にて述べる不要周波数成分とは、（ｍ±ｎ）＝偶数となる周波数のことをいい、特に所望となるＲＦ周波数成分（ここでは、２×ｆＬＯ＋ｆｉｆとなる周波数成分）の近傍の２×ｆＬＯとなる周波数を不要周波数として述べている。
【０００７】
通常、ハーモニックミキサ回路では、アンチパラレルダイオードの奇対称性により所望の無線周波数の近傍にある２×ｆＬＯ の周波数成分は抑圧される。アンチパラレルダイオードの電圧Ｖと電流Ｉの特性は、図２に示されるように、非線形な特性であり、式（１）で示される点を連続させたものとなる。
I=I1×{exp(α×V)-1}-I2×{exp(-β×V)-1}    （１）
ここで、Ｉはダイオードへ流れる電流、Ｉ１とＩ２はそれぞれダイオードＤ１とＤ２の飽和電流、Ｖはダイオードに印加される電圧、αとβは以下の式（２）と（３）で表される。
α=q1/(n1kT1)          （２）
β=q2/(n2kT2)          （３）
ここで、ｑ１とｑ２は電子の電荷、ｋはボルツマン定数、Ｔ１とＴ２は絶対温度を表している。また、ｎ１とｎ２は理想ファクタである。アンチパラレルダイオードの２つのダイオードＤ１とＤ２の特性が同じならば、式（1）において、とα＝β＝ＡかつＩ１＝Ｉ２＝Ｂとなり、式（４）と表される。
I=A×{exp(B×V)-exp(-B×V)}      （４）
式（４）を自然対数に対してマクローリン展開すると式（５）のように表される。
I=2BAV+(B3A/3)V3+(B5A/60)V5+(B7A/2520)V7+...      （５）
式（５）から、アンチパラレルダイオードの２つのダイオードＤ１とＤ２の特性が同じならば、偶数次の項が理論上発生しないことが分かる。しかし、アンチパラレルダイオードＤ１とＤ２の特性がばらつく場合、Ｉ１≠Ｉ２及びα≠βとなり、式（１）を自然対数に対してマクローリン展開すると式（６）のように表される。
I=(I1α+I2β)V+((I1α2-I2β2)/2)V2+((I1α3+I2β3)/6)V3
+((I1α4-I2β4)/24)V4+((I1α5+I2β5)/120)V5       （６）
となり、偶数次の項が発生することがわかる。この場合、不要波となる（ｍ±ｎ）＝偶数の周波数成分が抑圧することができない。特に、ＲＦ周波数の近傍である２×ｆＬＯ周波数成分を抑圧することができなかった。
【０００８】
以上のように、従来のハーモニックミキサ回路では、アンチパラレル接続されたダイオードの、少なくともどちらか一方は直流的に短絡されている。その場合、ダイオードの製造等のばらつきによりアンチパラレルダイオードの直流特性が互いに異なった場合、つまり直流特性が奇対称とならない場合に、実際の動作におけるダイオード両端にかかる局部発振（Ｌｏ）周波数信号（局発信号）の振幅は、正符号側と負符号側とで非対称となり、電圧・電流が生じることになる。このため、ハーモニックミキサが送信ミキサとして使用される場合、無線周波数（ＲＦ）信号出力に、本来ダイオードのばらつきがなければ出力されるはずのない、不要波である偶数次の成分が出力されることとなる。
【０００９】
上記説明と関連して、特開２００４−１６６２６０号公報には、ミキサ回路が開示されている。この従来例では、ダイオード特性を有する第１回路と、第１回路とインピーダンスが異なり、かつ第１回路と逆極性のダイオード特性を有する第２回路を有している。
【００１０】
また、特開２００５−２９５０９７号公報には、ハーモニックミキサが開示されている。この従来例では、アンチパラレルダイオードの一端に局部発振信号が供給され、他端に情報信号が供給され、また直流バイアスが印加される。他端から出力信号が取り出される。
【００１１】
また、特開平９−２３８０２７号公報には、ハーモニックミキサが開示されている。この従来例では、４つのショットキーバリアダイオードにより２組のアンチパラレルダイオードが構成され、それらが直列に接続される。可変バイアス回路により、ハーモニック次数が奇数次の場合には２組のアンチパラレルダイオードペアがバランス動作し、偶数次の場合にはアンチパラレル動作するように、バイアスが印加されている。
【特許文献１】特開２００４−１６６２６０号公報
【特許文献２】特開２００５−２９５０９７号公報
【特許文献３】特開平９−２３８０２７号公報
【発明の開示】
【発明が解決しようとする課題】
【００１２】
本発明の課題は、所望周波数成分の変換利得特性を劣化させることなく、不要波となる偶数次の周波数成分を抑圧させることのできるハーモニックミキサ回路を提供することにある。
本発明の他の課題は、アンチパラレル接続されたダイオード両端子が直流的に開放されるハーモニックミキサ回路を提供することにある。
本発明の他の課題は、アンチパラレル接続されたダイオードの特性が、製造のばらつき等のために不均一であった場合でも、ダイオード両端にかかる局発信号の振幅の中心が、見かけ上、電圧・電流が奇対称となる点にあるように、自己バイアス動作するハーモニックミキサ回路を提供することにある。
【課題を解決するための手段】
【００１３】
以下に、［発明の実施の形態］で使用する番号・符号を用いて、課題を解決するための手段を説明する。これらの番号・符号は、[特許請求の範囲]の記載と発明の実施の形態の記載との対応関係を明らかにするために付加されたものであるが、［特許請求の範囲］に記載されている発明の技術的範囲の解釈に用いてはならない。
【００１４】
本発明の観点では、ハーモニックミキサ回路は、第１ノード（Ｖ１）にアノードが接続され、第２ノード（Ｖ２）にカソードが接続された第１ダイオード（Ｄ１）と、前記第１ノード（Ｖ１）にカソードが接続され、前記第２ノード（Ｖ２）にアノードが接続された第２ダイオード（Ｄ２）と、前記第１ノード（Ｖ１）に接続された第１インピーダンス素子（４，１１）と、前記第２ノード（Ｖ２）に接続された第２インピーダンス素子（５）とを具備する。
【００１５】
また、本発明の他の観点では、ハーモニックミキサ回路は、第１ノード（Ｖ１）にアノードが接続され、第２ノード（Ｖ２）にカソードが接続された第１ダイオード（Ｄ１）と、前記第１ノード（Ｖ１）にカソードが接続され、前記第２ノード（Ｖ２）にアノードが接続された第２ダイオード（Ｄ２）と、前記第１ノード（Ｖ１）に接続された第１インピーダンス素子（１２）と、前記第２ノード（Ｖ２）に接続された第２インピーダンス素子（５）と、前記第１ノード（Ｖ１）に接続された第３インピーダンス素子（１３）とを具備する。
【００１６】
ここで、前記第１ダイオード（Ｄ１）と第２ダイオード（Ｄ２）は、同じＰＮ接合面積を有することが望ましく、前記第１インピーダンス素子（４，１１）は、前記第１ノード（Ｖ１）に接続された分布定数線路（４）と、前記分布定数線路と接地の間に接続されたキャパシタ（１１）とを有することが望ましい。
また、前記第３インピーダンス素子（１３）は、前記第１ノード（Ｖ１）に接続されたインダクタンスと、前記インダクタンスと接地の間に接続されたキャパシタとを有することが望ましい。
また、アップコンバータとして使用されるとき、前記第１ノード（Ｖ１）に第１キャパシタ（８）を介して局部発振周波数信号が供給され、前記第２ノード（Ｖ２）に第２キャパシタ（１０）と低域通過フィルタ（７）を介して中間周波数信号が供給され、前記第２ノード（Ｖ２）から第３キャパシタ（９）を介して無線周波数信号が出力される。また、ダウンコンバータとして使用されるとき、ハーモニックミキサ回路では、前記第１ノード（Ｖ１）に第１キャパシタを介して局部発振周波数信号が供給され、前記第２ノード（Ｖ２）に第３キャパシタ（９）を介して無線周波数信号が供給され、前記第２ノード（Ｖ２）から低域通過フィルタ（７）と第２キャパシタ（１０）とを介して中間周波数信号が出力される。
また、アップコンバータとして使用されるとき、前記第１ノード（Ｖ１）に第１キャパシタ（８）を介して局部発振周波数信号が供給され、前記第２ノード（Ｖ２）に第２キャパシタ（10）と低域通過フィルタ（７）を介して中間周波数信号が供給され、前記第２ノード（Ｖ２）から第３キャパシタ（９）を介して無線周波数信号が出力される。また、ダウンコンバータとして使用されるとき、前記第１ノード（Ｖ１）に第１キャパシタ（８）を介して局部発振周波数信号が供給され、前記第２ノード（Ｖ２）に第３キャパシタ（9）を介して無線周波数信号が供給され、前記第２ノード（Ｖ２）から低域通過フィルタ（７）と第２キャパシタ（１０）とを介して中間周波数信号が出力される。
前記第１ノード（Ｖ１）と前記第２ノード（Ｖ２）は直流的に開放されていることが好ましい。
【発明の効果】
【００１７】
アンチパラレル接続されたダイオードを使用した、ハーモニックミキサ回路において、ダイオード両端子を直流的に開放することにより、アンチパラレル接続されたそれぞれのダイオードの特性が、製造のばらつき等で不均等であった場合でも、実際の動作におけるダイオード両端にかかる局発信号の振幅が、見かけ上、電圧・電流が奇対称となる点を中心として掛かるように、自己バイアス動作する。これにより、所望周波数成分の変換利得特性を劣化させることなく、不要波となる偶数次の周波数成分を抑圧させることのできる回路。
【発明を実施するための最良の形態】
【００１８】
以下に添付図面を参照して、本発明のハーモニックミキサ回路について詳細に説明する。
【００１９】
２つの特性が揃っているアンチパラレルダイオードに局発信号を注入すると、直流成分は発生しない。しかし、それぞれの特性が、ダイオードの製造ばらつき等により、ずれた特性を持っている場合には、ダイオード両端が直流的に開放であるため、整流動作による直流成分が発生する。直流成分は、アンチパラレルダイオード両端にかかる局発信号の振幅が、正符号側と負符号側で、対称に近くなるように発生する。本発明では、この自己バイアス動作により、アンチパラレルダイオードは、局発信号に対する応答が、奇対称の電圧電流特性をもつように動作し、不要波である偶数次の周波数成分の出力を抑圧する。
【００２０】
図１は、本発明の第１実施形態によるハーモニックミキサ回路の構成を示している。図１を参照して、第１実施形態によるハーモニックミキサ回路は、局部発振周波数信号（Ｌｏ：局発信号）のための信号端子１、中間周波数信号（ＩＦ）のための信号端子２、無線周波数信号（ＲＦ）のための信号端子３に接続されている。
【００２１】
第１実施形態によるハーモニックミキサ回路は、キャパシタ８，９，１０，１１、分布定数線路４、５、アンチパラレルダイオード回路６、ＩＦ信号を入出力するために設けた、低域通過フィルタ（ＬＰＦ）７とを備えている。信号端子１とノードＶ１との間にキャパシタ８が設けられ、ノードＶ１とＶ２の間にアンチパラレルダイオード回路６が設けられている。アンチパラレルダイオード回路６では、ダイオードＤ１が順方向に、ダイオードＤ２が逆方向に接続されている。ノードＶ１と設置の間に、分布定数線路４とキャパシタ１１が直列に接続されている。ノードＶ２には分布定数線路５が接続されている。ノードＶ２と信号端子３の間にはキャパシタ９が設けられている。ノードＶ２と信号端子２の間には、低域通過フィルタ７とキャパシタ１０とが直列に接続されている。
【００２２】
ノードＶ１に接続されたインピーダンス素子としての分布定数線路４とキャパシタ１１は、局部発振周波数信号ｏに対しては開放であるが、無線周波数信号ＲＦに対しては接地として働く。ノードＶ２に接続されたインピーダンス素子としての分布定数線路５は、局部発振周波数信号ＬＯに対しては接地であるが、無線周波数信号ＲＦに対しては開放として働く。
【００２３】
次に、本発明の第１実施形態によるハーモニックミキサ回路の動作について説明する。
【００２４】
第１実施形態によるハーモニックミキサ回路が周波数アップコンバータとして用いられる場合、信号端子１と２が入力端子であり、信号端子３が出力端子となる。即ち、ノードＶ１にキャパシタ８を介して局部発振周波数信号Ｌｏが供給され、ノードＶ２にキャパシタ１０と低域通過フィルタ７を介して中間周波数信号が供給され、ノードＶ２からキャパシタ９を介して無線周波数信号ＲＦが出力される。また、第１実施形態によるハーモニックミキサ回路が周波数ダウンコンバータとして用いられる場合、信号端子１と３が入力端子であり、信号端子２が出力端子である。即ち、ノードＶ１にキャパシタ８を介して局部発振周波数信号Ｌｏが供給され、ノードＶ２にキャパシタ９を介して無線周波数信号ＲＦが供給され、ノードＶ２から低域通過フィルタ７とキャパシタ１０とを介して中間周波数信号ＩＦが出力される。
【００２５】
本発明では、アンチパラレルダイオード回路６を直流的に開放している。従って、２つのダイオードにばらつきがある場合には、自己バイアスを行って電圧−電流特性が奇関数となる点とダイオードに両端の電圧の振幅値の中心が同じ電位となるようにした。図７は、計算結果を示す。アンチパラレルダイオード回路６のどちらか一方のダイオードがショートした場合には、強制的に電圧が０Ｖのところで応答していたのに対して、この結果から、図７の結果から電圧０．１Ｖのところを中心に応答が行われていることが分かる。これにより、（ｍ±ｎ）＝偶数となる周波数成分の発生を抑圧することができる。
【００２６】
図８は、図１の構成を有する本発明のハーモニックミキサ回路における変換利得と２×ｆＬＯリークとを示す。ここで、変換利得とは周波数がｆｉｆである入力信号の電力と、周波数がｆrｆ=２×ｆＬＯ＋ｆｉｆである出力信号の電力の差（ｄＢ）をいう。２×ｆＬＯリークとは、２×ｆＬＯの周波数成分のことを示し、グラフにおいては、所望周波数であるｆrｆとの電力差Ｄ／Ｕ比（ｄＢｃ）として示されている。Ｄ／Ｕ比が大きいほど、不要な成分は少なく良好な特性といえる。比較対象として、一般的に用いられている回路（図４）の結果が図９に示される。
【００２７】
図８と図９を比べると、図８の方が図９より２×ｆＬＯリークの特性が、２０ｄＢｃ以上も良くなっていることがわかる。ただし、その時の変換利得は図８と図９では変わりがない。本発明の回路と一般的に用いられている従来回路との２×ｆＬＯリークの比較を図１０に示す。所望周波数成分への変換利得は、効率が落ちることなく、不要波となる周波数成分は抑圧されている。よって、本発明の有効性が分かる。
【００２８】
次に、本発明の第２実施形態によるハーモニックミキサ回路について説明する。図１１は、本発明の第２実施形態によるハーモニックミキサ回路の構成を示す回路図である。図１１を参照して、第２実施形態によるハーモニックミキサ回路は、局部発振周波数信号（Ｌｏ）のための信号端子１、中間周波数信号（ＩＦ）のための信号端子２、無線周波数信号（ＲＦ）のための信号端子３に接続されている。第１実施形態によるハーモニックミキサ回路は、キャパシタ８，９，１０、インピーダンス素子としての分布定数線路５、１２、アンチパラレルダイオード回路６、中間周波数信号ＩＦを入出力するために設けられ低域通過フィルタ（ＬＰＦ）７とを備えている。更に、インピーダンス回路１３がノードＶ１と接地の間に接続されている。インピーダンス回路１３は、インダクタンスとそれに直列に接続されたキャパシタとを有している。
【００２９】
信号端子１とノードＶ１との間にキャパシタ８が設けられ、ノードＶ１とＶ２の間にアンチパラレルダイオード回路６が設けられている。アンチパラレルダイオード回路６では、ダイオードＤ１が順方向に、ダイオードＤ２が逆方向に接続されている。ノードＶ１には、分布定数線路１２が接続されている。ノードＶ２には分布定数線路５が接続されている。ノードＶ２と信号端子３の間にはキャパシタ９が設けられている。ノードＶ２と信号端子２の間には、低域通過フィルタ７とキャパシタ１０とが直列に接続されている。
【００３０】
第２実施形態によるハーモニックミキサ回路が周波数アップコンバータとして用いられる場合、信号端子１と２が入力端子であり、信号端子３が出力端子となる。即ち、ノードＶ１にキャパシタ８を介して局部発振周波数信号Ｌｏが供給され、ノードＶ２にキャパシタ１０と低域通過フィルタ７を介して中間周波数信号ＩＦが供給され、ノードＶ２からキャパシタ９を介して無線周波数信号ＲＦが出力されるまた、第２実施形態によるハーモニックミキサ回路が周波数ダウンコンバータとして用いられる場合、信号端子１と３が入力端子であり、信号端子２が出力端子である。即ち、ノードＶ１にキャパシタ８を介して局部発振周波数信号Ｌｏが供給され、ノードＶ２にキャパシタ１０を介して無線周波数信号ＲＦが供給され、ノードから低域通過フィルタ７と第２キャパシタ１０とを介して中間周波数信号ＩＦが出力される。
【００３１】
分布定数線路１２は、Ｌｏ信号に対しては開放であるが、ＲＦ信号に対しては接地として働く。イピーダンス回路１３は、ＩＦ信号に対して接地として働き、Ｌｏ信号およびＲＦ信号に対しては開放として働く。
図１１に示す本構成は、図１に示す４の分布定数線路に比べ、1２の分布定数線路の方が回路スペースを占有しないので、回路面積が限りあるときに有効といえる。
【図面の簡単な説明】
【００３２】
【図１】図１は、本発明の第１実施形態によるハーモニックミキサ回路の構成を示す回路図である。
【図２】図２は、２つのダイオードにばらつきのないアンチパラレルダイオードの電圧Ｖと電流Ｉの特性を示す図である。
【図３】図３は、２つのダイオードにばらつきのあるときのアンチパラレルダイオードの電圧Ｖと電流Ｉの特性を示す図である。
【図４】図４は、従来のハーモニックミキサ回路構成を示す回路図である。
【図５】図５は、従来の回路で２つのダイオードにばらつきがない場合における、アンチパラレルダイオード回路の出力での応答特性と電圧電流特性を示す図である。
【図６】図６は、従来の回路で２つのダイオードにばらつきがある場合における、アンチパラレルダイオード回路の出力での応答特性と電圧電流特性を示す図である。
【図７】図７は、本発明の回路で２つのダイオードにばらつきがある場合における、アンチパラレルダイオード回路の出力での応答特性と電圧電流特性を示す図である。
【図８】図８は、図１の構成を有する本発明のハーモニックミキサ回路における変換利得と２×ｆＬＯリークとを示す図である。
【図９】図９は、従来の構成を有するハーモニックミキサ回路における変換利得と２×ｆＬＯリークとを示す図である。
【図１０】図１０は、本発明の回路と一般的に用いられている従来回路との２×ｆＬＯリークの比較を示す図である。
【図１１】図１１は、本発明の第２実施形態によるハーモニックミキサ回路の構成を示す回路図である。
【符号の説明】
【００３３】
１，２，３：端子
４，５，１２：分布定数線路
６：アンチパラレルダイオード回路
７：低域通過フィルタ
８，９，１０，１１：キャパシタ
13：インピーダンス回路
【図１】
2007274040.tif 000003
【図２】
2007274040.tif 000004
【図３】
2007274040.tif 000005
【図４】
2007274040.tif 000006
【図５】
2007274040.tif 000007
【図６】
2007274040.tif 000008
【図７】
2007274040.tif 000009
【図８】
2007274040.tif 000010
【図９】
2007274040.tif 000011
【図１０】
2007274040.tif 000012
【図１１】
2007274040.tif 000013